(57)【要約】【課題】板状の段ボールと発泡プラスチックなどの緩衝ブロックとから構成される比較的小型の機器梱包用の緩衝材について、接着剤による段ボールと緩衝ブロックとの組合せを排除し、結合は強固で使用後の分離を容易な構造にした。【解決手段】板状の段ボール２０の周縁の隅角部又は辺の部分を受ける段１１を備え、段１１の奥部にスリット１２を設け段１１の上面に突起１３を設けた複数の緩衝ブロック１０ａ、１０ｂと、突起１３と係合する孔２１を備えた段ボール２０とを組み合わせた。【選択図】        図１
2004315013.tif 000002
【特許請求の範囲】
【請求項１】
板状の段ボールの周縁の隅角部又は辺の部分を受ける段を備え、段の上面に突起を設けた複数の緩衝ブロックと、前記段の上に載置される部分に、前記突起と係合する孔を設けた段ボール板とからなることを特徴とする梱包用緩衝材。
【請求項２】
前記緩衝ブロックの段の奥部に段ボール板が進入するスリットを設けたことを特徴とする請求項１記載の梱包用緩衝材。
【発明の詳細な説明】
【０００１】
【発明の属する技術分野】
本発明は、板状の段ボールと発泡材などの緩衝ブロックとから成る梱包用緩衝材に関する。
【０００２】
【従来の技術】
器材の梱包材として段ボールを使用し、段ボールに発泡スチロールなどの発泡プラスチックからなる緩衝ブロックを取付けて段ボール箱内に挿入する緩衝材がある。このような緩衝材は従来、発泡プラスチックからなる緩衝ブロックを段ボール面に接着剤を用いて貼着していたが、梱包材を処分する際に発泡プラスチック等を段ボールから分離することが容易でなく、発泡プラスチックが破断してしまい、きれいに分離することができないことが多い。このため段ボールの回収やリサイクルの障害となっている。このような問題に対応する技術が種々知られている。
【０００３】
段ボールと緩衝材との接合面を凹凸状に形成するなどによって緩衝材の接合面に接着剤を点又は線状に部分塗布して接着した梱包装置がある（例えば、特許文献１参照。）。この技術は接合が容易に剥がれ易く、大きな衝撃力や回動力などが作用しない対象物の梱包に限られる。
【０００４】
箱体内の立上り壁部に沿うように緩衝部材を配置し、その緩衝部材上に被包装物を載置して包装するようにし、箱体の稜部に、立上り部と底部に跨がる嵌合穴を設け、緩衝部材に嵌合穴に対応する突起部を設け、緩衝部材を嵌合穴に嵌合させて箱と一体にする構造が示されている（例えば、特許文献２参照。）。これは大型重量物等の梱包用で、大型の強固な緩衝材を用いるものである。
【０００５】
底板部の周囲に立上り壁部を有する底台上に、立上り壁部に沿うように緩衝部材を配置し、その緩衝部材上に被包装物を載置して包装するようにし、底板部に嵌合穴を設けると共に、緩衝部材の下面に前記嵌合穴に対応して突起部を設けて嵌合穴に嵌合させ、さらに立上り壁部に係合凹部を設け、緩衝部材の側面にこの係合凹部に対応する係合凸部を設け、係合凸部を係合凹部に上方への抜止め状態に係合させた包装装置が示されている（例えば、特許文献３参照。）。この技術も大型重量物等の梱包用である。
【０００６】
凹状切り込みを持つ底壁部と、互いに平行な二つの側片部と、二つの側片部を相互に接続する端片部とにより構成されて略コの字形の平面形状を成し、内側に被梱包物の保持部を有しており、二つの側片部には係合用の突出部が設けられている発泡樹脂一体成形品の梱包用緩衝材がある（例えば、特許文献４参照。）。この技術も内側底面及び３つの立設面に亘って当接する大型の緩衝材を外箱内に取付ける技術である。
【０００７】
【特許文献１】
特開平５−２７０５６９号公報
【特許文献２】
特開平７−６９３７２号公報
【特許文献３】
特開平６−２７０９８４号公報
【特許文献４】
特開平８−１９８３３３号公報
【０００８】
【発明が解決しようとする課題】
本発明は、以上のような大型重量物の緩衝材ではなく、段ボールと緩衝ブロックとを組合わせて箱内に収納する比較的小型の梱包用緩衝材を形成する場合に、接着剤による段ボールと発泡プラスチックとの組合せを排除し、一方、緩衝材の段ボールと発泡プラスチック等の緩衝ブロックとが衝撃等によって外れることはなく、使用後は容易に段ボールと緩衝材ブロックを分離取外しできるように形成した改善された構造の梱包用緩衝材を提供することを目的とする。
【０００９】
【課題を解決するための手段】
本発明は、板状の段ボールの周縁の隅角部又は辺の部分を受ける段を備え、段の上面に突起を設けた複数の緩衝ブロックと、前記段の上に載置される部分に、前記突起と係合する孔を設けた段ボール板とからなることを特徴とする梱包用緩衝材である。
【００１０】
また前記緩衝ブロックの段の奥部に段ボール板が進入するスリットを設けると、段ボールと緩衝ブロックとの係合が、より確実になる。
【００１１】
本発明は板状の段ボールと発泡プラスチック等の緩衝ブロックとを接着することなく、差し込んで係合する構造を採用した。緩衝ブロックが簡単に抜けないよう段ボールに穴をあけ、緩衝ブロックに突起部を設けて係合させるようにした。また、段ボールの端面を緩衝ブロックの段の奥に設けたスリットに差し込む構造とした。
【００１２】
【発明の実施の形態】
以下図面を参照して本発明の実施の形態を説明する。
【００１３】
本発明は図２に梱包箱３０の断面を示すように、発泡プラスチックなどからなる緩衝ブロック１０と板状の段ボール２０とを組合わせて梱包箱３０内の底部に装入し、板状の段ボール２０上に製品５０を載置して梱包するものである。比較的小型軽量の製品５０を対象とするものである。そして板状の段ボール２０と緩衝ブロック１０とは接着によることなく結合し、リサイクル、分離を容易にする技術である。一方、梱包の搬送中その他取扱い中に衝撃又は捩り等により、段ボール２０と緩衝ブロック１０ａ、１０ｂが分離したり分離破損したりすることがないようにしなければならない。
【００１４】
図１は、このような本発明に係る実施例を示す斜視図である。段ボール２０と緩衝ブロック１０ａ、１０ｂを接着せず、差し込む構成を採用した。緩衝ブロック１０ａ、１０ｂは段１１を備え、この段１１上に板状の段ボール２０の隅角部又は辺の部分が載置される。緩衝ブロック１０ａ、１０ｂの底面及び外面は図２に示すように梱包箱３０の底板及び側板に当接するようになっている。段１１の上面には突起１３が突設されており、この突起１３に嵌合する貫通孔２１が板状の段ボール２０の対応する部分に設けられている。この突起１３の大きさ、形状、数、配置等は限定されるものではなく、例えば円柱形、四角柱形、楕円柱形、多角形柱形、その他不定形でもよく、板状段ボール２０にはこれらの突起１３の形状に合わせて嵌合する形状、数量、配置の貫通孔２１を備える。
【００１５】
また、緩衝ブロック１０ａ、１０ｂは、段１１の奥部の段１１の延長上に、板状の段ボール２０の縁部が進入するスリット１２を設ける。緩衝ブロック１０ａ、１０ｂのスリット１２に板状の段ボール２０の端部を嵌め、その後、突起１３と貫通孔２１とを嵌合させ、これらの組立体を梱包箱内に装入することによって、緩衝ブロック１０ａ、１０ｂと板状の段ボール２０とは強固に結合され、衝撃や捩れ等によって緩衝ブロック１０ａ、１０ｂが段ボール２０から外れる怖れは全くない、一方用済後分解時には極めて容易に分離することができる。
【００１６】
【発明の効果】
本発明は、板状の段ボールと緩衝ブロックとから成る比較的小型の緩衝材でああって、接着剤を使わずに段ボールと緩衝ブロックとを組合わせて結合することにより、緩衝材の製造を容易にし、製造コストを下げることができる。この緩衝材は使用後、容易に分解することができ、段ボールと緩衝ブロックを分離してリサイクル又は廃棄することができる。
【図面の簡単な説明】
【図１】実施例の斜視図である。
【図２】実施例の梱包箱の断面図である。
【符号の説明】
１０、１０ａ、１０ｂ    緩衝ブロック
１１    段
１２    スリット
１３    突起
２０    板状の段ボール
２１    貫通孔
３０    梱包箱
５０    製品等
【図１】
2004315013.tif 000003
【図２】
2004315013.tif 000004